(57)【特許請求の範囲】
【請求項１】
生物の専門家に関する生物専門家情報を記憶する生物専門家情報記憶部と、
撮影者が携行する携帯型端末装置によって生物を撮影対象とした撮影を行う場合に、当該携帯型端末装置から前記撮影に関する撮影関連情報を取得する撮影関連情報取得手段と、
前記撮影関連情報取得手段により取得された撮影関連情報及び前記生物専門家情報記憶部に記憶されている生物専門家情報に基づいて、前記撮影にあたり連絡をとるべき生物の専門家を特定する生物専門家特定手段と、
前記生物専門家特定手段により特定された専門家の連絡先を示す生物専門家連絡先情報を、前記携帯型端末装置に対して送信する生物専門家連絡先情報送信手段と
を備える、撮影支援装置。
【請求項２】
前記撮影関連情報には、前記撮影者の現在位置を示す位置情報が含まれており、
前記生物専門家特定手段が、前記取得された撮影関連情報に含まれる位置情報に示される撮影者の現在位置周辺に生息している生物を特定し、当該特定した生物の専門家を、前記生物専門家情報に基づいて特定するように構成されている、
請求項１に記載の撮影支援装置。
【請求項３】
前記取得された撮影関連情報に含まれる位置情報に基づいて、前記撮影者の将来位置を予測する将来位置予測手段をさらに備え、
前記生物専門家特定手段が、前記将来位置予測手段により予測された撮影者の将来位置周辺に生息している生物を特定し、当該特定した生物の専門家を、前記生物専門家情報に基づいて特定するように構成されている、
請求項２に記載の撮影支援装置。
【請求項４】
前記撮影関連情報には、前記撮影により取得された生物の撮像画像が含まれており、
前記生物専門家特定手段が、前記取得された撮影関連情報に含まれる撮像画像に係る生物を特定し、当該特定した生物の専門家を、前記生物専門家情報に基づいて特定するように構成されている、
請求項１乃至３の何れかに記載の撮影支援装置。
【請求項５】
前記撮影関連情報には、前記撮影者の現在位置を示す位置情報が含まれており、
地域の専門家に関する地域専門家情報を記憶する地域専門家情報記憶部と、
前記取得された撮影関連情報に含まれる位置情報及び前記地域専門家情報記憶部に記憶されている地域専門家情報に基づいて、前記撮影にあたり連絡をとるべき地域の専門家を特定する地域専門家特定手段と
をさらに備える、請求項１に記載の撮影支援装置。
【請求項６】
前記取得された撮影関連情報に含まれる位置情報に基づいて、前記撮影者の将来位置を予測する将来位置予測手段をさらに備え、
前記地域専門家特定手段が、前記将来位置予測手段により予測された撮影者の将来位置
に基づいて、連絡をとるべき地域の専門家を特定するように構成されている、
請求項５に記載の撮影支援装置。
【請求項７】
前記地域専門家特定手段により特定された専門家の連絡先を示す地域専門家連絡先情報を、前記携帯型端末装置に対して送信する地域専門家連絡先情報送信手段を
さらに備える、
請求項５又は６に記載の撮影支援装置。
【請求項８】
生物の専門家に関する生物専門家情報を記憶する生物専門家情報記憶部を備えるコンピュータが、
撮影者が携行する携帯型端末装置によって生物を撮影対象とした撮影を行う場合に、当該携帯型端末装置から前記撮影に関する撮影関連情報を取得する撮影関連情報取得工程と、
前記撮影関連情報取得工程により取得された撮影関連情報及び前記生物専門家情報記憶部に記憶されている生物専門家情報に基づいて、前記撮影にあたり連絡をとるべき生物の専門家を特定する生物専門家特定工程と、
前記生物専門家特定工程により特定された専門家の連絡先を示す生物専門家連絡先情報を、前記携帯型端末装置に対して送信する生物専門家連絡先情報送信工程と
を実行する、撮影支援方法。
【請求項９】
前記撮影関連情報には、前記撮影者の現在位置を示す位置情報が含まれており、
前記生物専門家特定工程において、前記コンピュータが、前記取得された撮影関連情報に含まれる位置情報に示される撮影者の現在位置周辺に生息している生物を特定し、当該特定した生物の専門家を、前記生物専門家情報に基づいて特定する、
請求項８に記載の撮影支援方法。
【請求項１０】
前記コンピュータが、前記取得された撮影関連情報に含まれる位置情報に基づいて、前記撮影者の将来位置を予測する将来位置予測工程をさらに実行し、
前記生物専門家特定工程において、前記コンピュータが、前記将来位置予測工程により予測された撮影者の将来位置周辺に生息している生物を特定し、当該特定した生物の専門家を、前記生物専門家情報に基づいて特定する、
請求項９に記載の撮影支援方法。
【請求項１１】
前記撮影関連情報には、前記撮影により取得された生物の撮像画像が含まれており、
前記生物専門家特定工程において、前記コンピュータが、前記取得された撮影関連情報に含まれる撮像画像に係る生物を特定し、当該特定した生物の専門家を、前記生物専門家情報に基づいて特定する、
請求項８乃至１０の何れかに記載の撮影支援方法。
【発明の詳細な説明】
【技術分野】
【０００１】
本発明は、撮影者が生物の撮影を行う場合に、当該撮影を支援するための撮影支援装置及び撮影支援方法に関する。
【背景技術】
【０００２】
近年では、情報処理技術の進展に伴い、画像情報に基づいて情報検索を行うための技術が種々提案されている。例えば、花を被写体として取得された撮像画像を解析し、その解析結果に基づいて花の名前等の属性情報をデータベースから検索し、その検索結果をディスプレイ等に表示する検索システム等が提案されている（例えば、特許文献１乃至３を参照。）。これにより、撮像画像中の花の属性情報が自動的に得られることになるため、撮影者は、自らが撮影した花の名前等を容易に知ることができる。
【先行技術文献】
【特許文献】
【０００３】
【特許文献１】特開２００２−２４７４３６号公報
【特許文献２】特開２００３−２８８３６３号公報
【特許文献３】特開２００７−１７９１２９号公報
【発明の概要】
【発明が解決しようとする課題】
【０００４】
ところで、近年では、様々な生物種の絶滅が危惧される中、生物多様性等の研究が活発となっている。このような研究においては、多くの資料を収集することが重要であるため、研究者のみではなく一般の人からも画像情報等を収集できることが望ましい。この観点からは、上述したような従来の検索システムのように、花等の生物の属性情報を一般の人に提供するだけでは足りず、さらに、当該撮影者から研究資料として有用な情報の提供を受けることを可能にするための仕組みが必要になるといえる。しかしながら、そのような仕組みは従来提案されていなかった。
【０００５】
本発明は斯かる事情に鑑みてなされたものであり、その主たる目的は、撮影者から生物に関する有用な情報を取得することを可能にする撮影支援装置及び撮影支援方法を提供することにある。
【課題を解決するための手段】
【０００６】
上述した課題を解決するために、本発明の一の態様の撮影支援装置は、生物の専門家に関する生物専門家情報を記憶する生物専門家情報記憶部と、撮影者が携行する携帯型端末装置によって生物を撮影対象とした撮影を行う場合に、当該携帯型端末装置から前記撮影に関する撮影関連情報を取得する撮影関連情報取得手段と、前記撮影関連情報取得手段により取得された撮影関連情報及び前記生物専門家情報記憶部に記憶されている生物専門家情報に基づいて、前記撮影にあたり連絡をとるべき生物の専門家を特定する生物専門家特定手段と、前記生物専門家特定手段により特定された専門家の連絡先を示す生物専門家連絡先情報を、前記携帯型端末装置に対して送信する生物専門家連絡先情報送信手段とを備える。
【０００７】
前記態様の撮影支援装置において、前記撮影関連情報には、前記撮影者の現在位置を示す位置情報が含まれており、前記生物専門家特定手段が、前記取得された撮影関連情報に含まれる位置情報に示される撮影者の現在位置周辺に生息している生物を特定し、当該特定した生物の専門家を、前記生物専門家情報に基づいて特定するように構成されていてもよい。
【０００８】
また、前記態様の撮影支援装置が、前記取得された撮影関連情報に含まれる位置情報に基づいて、前記撮影者の将来位置を予測する将来位置予測手段をさらに備え、前記生物専門家特定手段が、前記将来位置予測手段により予測された撮影者の将来位置周辺に生息している生物を特定し、当該特定した生物の専門家を、前記生物専門家情報に基づいて特定するように構成されていてもよい。
【０００９】
また、前記態様の撮影支援装置において、前記撮影関連情報には、前記撮影により取得された生物の撮像画像が含まれており、前記生物専門家特定手段が、前記取得された撮影関連情報に含まれる撮像画像に係る生物を特定し、当該特定した生物の専門家を、前記生物専門家情報に基づいて特定するように構成されていてもよい。
【００１１】
また、前記態様の撮影支援装置において、前記撮影関連情報には、前記撮影者の現在位置を示す位置情報が含まれており、地域の専門家に関する地域専門家情報を記憶する地域専門家情報記憶部と、前記取得された撮影関連情報に含まれる位置情報及び前記地域専門家情報記憶部に記憶されている地域専門家情報に基づいて、前記撮影にあたり連絡をとるべき地域の専門家を特定する地域専門家特定手段とをさらに備えていてもよい。
【００１２】
また、前記態様の撮影支援装置が、前記取得された撮影関連情報に含まれる位置情報に基づいて、前記撮影者の将来位置を予測する将来位置予測手段をさらに備え、前記地域専門家特定手段が、前記将来位置予測手段により予測された撮影者の将来位置に基づいて、連絡をとるべき地域の専門家を特定するように構成されていてもよい。
【００１３】
また、前記態様の撮影支援装置が、前記地域専門家特定手段により特定された専門家の連絡先を示す地域専門家連絡先情報を、前記携帯型端末装置に対して送信する地域専門家連絡先情報送信手段をさらに備えていてもよい。
【００１４】
本発明の一の態様の撮影支援方法において、生物の専門家に関する生物専門家情報を記憶する生物専門家情報記憶部を備えるコンピュータが、撮影者が携行する携帯型端末装置によって生物を撮影対象とした撮影を行う場合に、当該携帯型端末装置から前記撮影に関する撮影関連情報を取得する撮影関連情報取得工程と、前記撮影関連情報取得工程により取得された撮影関連情報及び前記生物専門家情報記憶部に記憶されている生物専門家情報に基づいて、前記撮影にあたり連絡をとるべき生物の専門家を特定する生物専門家特定工程と、前記生物専門家特定工程により特定された専門家の連絡先を示す生物専門家連絡先情報を、前記携帯型端末装置に対して送信する生物専門家連絡先情報送信工程とを実行する。
【００１５】
前記態様の撮影支援方法において、前記撮影関連情報には、前記撮影者の現在位置を示す位置情報が含まれており、前記生物専門家特定工程において、前記コンピュータが、前記取得された撮影関連情報に含まれる位置情報に示される撮影者の現在位置周辺に生息している生物を特定し、当該特定した生物の専門家を、前記生物専門家情報に基づいて特定するようにしてもよい。
【００１６】
また、前記態様の撮影支援方法において、前記コンピュータが、前記取得された撮影関連情報に含まれる位置情報に基づいて、前記撮影者の将来位置を予測する将来位置予測工程をさらに実行し、前記生物専門家特定工程において、前記コンピュータが、前記将来位置予測手段により予測された撮影者の将来位置周辺に生息している生物を特定し、当該特定した生物の専門家を、前記生物専門家情報に基づいて特定するようにしてもよい。
【００１７】
また、前記態様の撮影支援方法において、前記撮影関連情報には、前記撮影により取得された生物の撮像画像が含まれており、前記生物専門家特定工程において、前記コンピュータが、前記取得された撮影関連情報に含まれる撮像画像に係る生物を特定し、当該特定した生物の専門家を、前記生物専門家情報に基づいて特定するようにしてもよい。
【発明の効果】
【００１８】
本発明に係る撮影支援装置及び撮影支援方法によれば、生物に関する有用な情報を撮影者から得ることが可能になる。
【図面の簡単な説明】
【００１９】
【図１】本発明の実施の形態１に係る撮影支援システムの構成を示すブロック図。
【図２】本発明の実施の形態１に係る撮影支援装置の構成を示すブロック図。
【図３】本発明の実施の形態１に係る撮影支援装置に設けられている撮影者情報データベースのレイアウトの一例を示す図。
【図４】本発明の実施の形態１に係る撮影支援装置に設けられている専門家情報データベースのレイアウトの一例を示す図。
【図５】本発明の実施の形態１に係る撮影支援装置に設けられている生息生物情報データベースのレイアウトの一例を示す図。
【図６】本発明の実施の形態１に係る撮影支援システムが備える撮影支援装置及び携帯電話機が実行する連絡先提供処理の手順の一例を示すフローチャート。
【図７Ａ】携帯電話機のディスプレイ上に表示される、精通専門家の連絡先を示す専門家連絡先画面の一例を示す図。
【図７Ｂ】携帯電話機のディスプレイ上に表示される、生物専門家の連絡先を示す専門家連絡先画面の一例を示す図。
【図７Ｃ】携帯電話機のディスプレイ上に表示される、地域専門家の連絡先を示す専門家連絡先画面の一例を示す図。
【図８】本発明の実施の形態１に係る撮影支援システムが備える撮影支援装置及び携帯電話機が実行する連絡先提供処理の手順の他の例を示すフローチャート。
【図９Ａ】携帯電話機のディスプレイ上に表示される、精通専門家の連絡先を示す専門家連絡先画面の他の例を示す図。
【図９Ｂ】携帯電話機のディスプレイ上に表示される、生物専門家の連絡先を示す専門家連絡先画面の他の例を示す図。
【図９Ｃ】携帯電話機のディスプレイ上に表示される、地域専門家の連絡先を示す専門家連絡先画面の他の例を示す図。
【図１０】本発明の実施の形態１に係る撮影支援システムが備える撮影支援装置及び携帯電話機が実行する撮像画像投稿処理の手順の一例を示すフローチャート。
【図１１】本発明の実施の形態２に係る撮影支援装置の構成を示すブロック図。
【図１２】本発明の実施の形態２に係る撮影支援システムが備える撮影支援装置及び携帯電話機が実行する連絡先提供処理の手順の一例を示すフローチャート。
【図１３Ａ】携帯電話機のディスプレイ上に表示される、精通専門家の連絡先を示す専門家連絡先画面の他の例を示す図。
【図１３Ｂ】携帯電話機のディスプレイ上に表示される、生物専門家の連絡先を示す専門家連絡先画面の他の例を示す図。
【発明を実施するための形態】
【００２０】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２１】
また、以下では、撮影対象となる生物を動物・植物・昆虫に分けて例示しているが、これは説明の便宜上の分類にすぎず、本発明の技術的思想がこの分類に限定されるわけではない。
【００２２】
（実施の形態１）
［撮影支援システムの構成］
図１は、本発明の実施の形態１に係る撮影支援システムの構成を示すブロック図である。図１に示すとおり、本実施の形態の撮影支援システムは、生物を撮影する場合において当該撮影を支援するための撮影支援装置１と、各撮影者が携行する携帯電話機２，２，…と、各専門家側に備えられている専門家端末装置３，３，…とを備えている。これらの撮影支援装置１、携帯電話機２，２，…及び専門家端末装置３，３，…は、インターネット等の通信ネットワークＮＴＷを介して通信可能に接続されている。
【００２３】
携帯電話機２，２，…は、ＣＣＤ（Charge Coupled Device）又はＣＭＯＳ（Complementary Metal Oxide Semiconductor）等の撮像素子で構成されるカメラを備えている。なお、携帯電話機２，２，…の代わりに、例えば通信機能を有するデジタルスチルカメラ等、通信機能及びカメラ機能を有する他の装置を用いるようにしてもよい。また、専門家端末装置３，３，…としては、パーソナルコンピュータ、携帯電話機及びＰＤＡ（Personal Digital Assistant）等の通信機能を有する情報端末装置が用いられる。
【００２４】
［撮影支援装置の構成］
以下、上述した撮影支援装置１の詳細な構成について説明する。
図２は、本発明の実施の形態１に係る撮影支援装置１の構成を示すブロック図である。図２に示すとおり、コンピュータ（撮影支援装置）１は、ＣＰＵ１０、ＲＯＭ１１、ＲＡＭ１２、ハードディスク１３、及び通信インタフェース（Ｉ／Ｆ）１４を備えており、これらのＣＰＵ１０、ＲＯＭ１１、ＲＡＭ１２、ハードディスク１３及び通信Ｉ／Ｆ１４は、バス１５によって接続されている。
【００２５】
ＣＰＵ１０は、ＲＡＭ１２にロードされた各種のコンピュータプログラムを実行する。これにより、コンピュータ１が本実施の形態の撮影支援装置１として機能することになる。
【００２６】
ＲＯＭ１１は、マスクＲＯＭ、ＰＲＯＭ（Programmable ROM）、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００２７】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２８】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、撮影者に関する撮影者情報が格納される撮影者情報データベース（ＤＢ）１３Ａと、専門家に関する専門家情報が格納される専門家情報データベース（ＤＢ）１３Ｂと、各地に生息している生物に関する生息生物情報が格納される生息生物情報データベース（ＤＢ）１３Ｃと、各撮影者から投稿される画像情報が格納される投稿画像情報データベース（ＤＢ）１３Ｄとが設けられている。これらの各データベースの詳細については後述する。
【００２９】
さらに、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００３０】
通信Ｉ／Ｆ１４は、通信ネットワークＮＴＷを介して撮影支援装置１が外部の装置と通信するためのインタフェース装置である。撮影支援装置１は、この通信Ｉ／Ｆ１４を介して、携帯電話機２，２，…及び専門家端末装置３，３，…との間で各種のデータの送受信を行う。
【００３１】
以下、ハードディスク１３に設けられている各データベースの詳細について説明する。
（Ａ）撮影者情報ＤＢ１３Ａ
図３は、本発明の実施の形態１に係る撮影支援装置１に設けられている撮影者情報ＤＢ１３Ａのレイアウトの一例を示す図である。図３に示すように、撮影者情報ＤＢ１３Ａは、撮影者を識別するための撮影者ＩＤが格納される撮影者ＩＤフィールド１０１、撮影者の氏名が格納される氏名フィールド１０２、撮影者の連絡先である電子メールアドレスが格納されるメールアドレスフィールド１０３、同じく連絡先である電話番号が格納される電話番号フィールド１０４、及び撮影者が設定したパスワードが格納されるパスワードフィールド１０５を有している。撮影支援装置１は、上記の撮影者情報を、撮影支援システムの利用を希望する撮影者から取得し、撮影者情報ＤＢ１３Ａに登録する。
【００３２】
（Ｂ）専門家情報ＤＢ１３Ｂ
図４は、本発明の実施の形態１に係る撮影支援装置１に設けられている専門家情報ＤＢ１３Ｂのレイアウトの一例を示す図である。図４に示すように、専門家情報ＤＢ１３Ｂは、専門家を識別するための専門家ＩＤが格納される専門家ＩＤフィールド２０１、専門家の氏名が格納される氏名フィールド２０２、専門家の連絡先である電子メールアドレスが格納されるメールアドレスフィールド２０３、同じく連絡先である電話番号が格納される電話番号フィールド２０４、専門家の種別を示す情報が格納される種別フィールド２０５、専門家が精通している生物の分類（動物、植物及び昆虫の少なくとも１つ）を示す情報が格納される生物分類フィールド２０６、同じく精通している生物の種類の名称を示す情報が格納される種類フィールド２０７、及び同じく精通している地域を識別するための地域ＩＤが格納される地域フィールド２０８を有している。なお、種類フィールド２０７には、生物分類フィールド２０６に格納されている分類に属する種類（例えば、分類“動物”に属する種類“カエル”等）が格納される。撮影支援装置１は、上記の専門家情報を、撮影支援システムの利用を希望する専門家から取得し、専門家情報ＤＢ１３Ｂに登録する。
【００３３】
本実施の形態では、特定の生物の専門家（以下、「生物専門家」という）、特定の地域の専門家（以下、「地域専門家」という）、及び特定の地域の専門家であり且つその地域に生息している生物の専門家（以下、「精通専門家」という）の３種類の専門家がいるものとする。上記の種別フィールド２０５には、これらの種類に応じた情報が格納される。図４に示す例では、精通専門家を示す“１”、生物専門家を示す“２”、及び地域専門家を示す“３”の何れかが種別フィールド２０５に格納される。
【００３４】
なお、生物分類フィールド２０６、種類フィールド２０７、及び地域フィールド２０８の各フィールドには、複数の情報が格納されていてもよい。これにより、複数の分類の生物についての専門家、複数の種類の生物についての専門家、及び複数の地域についての専門家に係る専門家情報を設定することができる。
【００３５】
（Ｃ）生息生物情報ＤＢ１３Ｃ
図５は、本発明の実施の形態１に係る撮影支援装置１に設けられている生息生物情報ＤＢ１３Ｃのレイアウトの一例を示す図である。図５に示すように、生息生物情報ＤＢ１３Ｃは、生物が生息している地域を識別するための地域ＩＤが格納される地域フィールド３０１、当該地域において生物が観察される期間を示す情報が格納される期間フィールド３０２、その生物の分類を示す情報が格納される生物分類フィールド３０３、及びその生物の種類の名称が格納される種類フィールド３０４を有している。撮影支援装置１は、上記の生息生物情報を、撮影支援システムを利用可能な専門家等から取得し、生息生物情報ＤＢ１３Ｃに登録する。
【００３６】
（Ｄ）投稿画像情報ＤＢ１３Ｄ
投稿画像情報ＤＢ１３Ｄには、後述するようにして撮影者から投稿される撮像画像及びその撮影日時等を含む撮像画像情報が蓄積されている。
【００３７】
なお、撮影支援装置１は、専門家情報及び生息生物情報に含まれる地域ＩＤの定義ファイル（以下、「地域定義ファイル」という）をハードディスク１３に格納している。この地域定義ファイルでは、地域ＩＤと、その地域ＩＤにより特定される地域の範囲とが対応付けられている。ここで、地域の範囲は緯度及び経度により規定されている。そのため、ある地点の緯度及び経度が分かれば、地域定義ファイルを参照することにより、その地点がどの地域に属するかを特定することができる。
【００３８】
後述するように、本実施の形態では、撮影者の現在位置がどの地域に属するかを判定し、その地域に詳しい専門家及び／又は当該地域に生息する生物に詳しい専門家の連絡先を当該撮影者に対して提供する。ここで、地域は、上述したように所定の範囲を有する概念であるため、撮影者は、その範囲内に詳しい専門家、及び／又は当該範囲内に生息する生物に詳しい専門家の連絡先の提供を受けることになる。
【００３９】
［撮影支援システムの動作］
次に、上述したように構成された本実施の形態の撮影支援システムの動作について、フローチャート等を参照しながら説明する。なお、本実施の形態の撮影支援システムにて実行される主な処理には、（１）専門家の連絡先を撮影者に対して提供するための連絡先提供処理、及び（２）撮影支援後に撮影者が撮像画像を投稿するための撮像画像投稿処理等がある。以下では、これらの各処理の詳細について説明する。
【００４０】
（１）連絡先提供処理
図６は、本発明の実施の形態１に係る撮影支援システムが備える撮影支援装置１及び携帯電話機２が実行する連絡先提供処理の手順の一例を示すフローチャートである。なお、以下では、撮影者が携行している携帯電話機２がＧＰＳ（Global Positioning System）機能を有しており、ＧＰＳ衛星の電波を用いて自位置を特定することができるものとする。
【００４１】
撮影者は、撮影支援装置１による撮影支援を受けるために、携行している携帯電話機２を用いて撮影支援装置１にアクセスする。例えば、撮影者は、生物が多く生息していると思われる場所等に到達したときに、予め設定されている撮影者ＩＤ及びパスワードを携帯電話機２に入力し、撮影支援装置１に対してログイン処理を試みるよう携帯電話機２に対して指示する。
【００４２】
携帯電話機２は、撮影者から撮影者ＩＤ及びパスワードの入力を受け付けた場合、それらの撮影者ＩＤ及びパスワードを含むログイン情報を撮影支援装置１に対して送信する（Ｓ１０１）。
【００４３】
撮影支援装置１は、携帯電話機２から送信されたログイン情報を受信した場合（Ｓ２０１）、そのログイン情報に基づいてログイン処理を実行する（Ｓ２０２）。このログイン処理では、撮影支援装置１が、撮影者情報ＤＢ１３Ａに格納されている撮影者情報と受信したログイン情報とを照合することによってログインの成否を判定する。ここでは、ログインに成功したものとして説明を続ける。
【００４４】
撮影支援装置１は、ログイン済みの撮影者の現在位置を検知するために、当該現在位置を示す情報の送信依頼を示す位置要求情報を携帯電話機２に対して送信する（Ｓ２０３）。
【００４５】
携帯電話機２は、撮影支援装置１から送信された位置要求情報を受信した場合（Ｓ１０２）、ＧＰＳ機能を用いて携帯電話機２の自位置を示す自位置情報（例えば、緯度・経度・高度を含む情報）を取得し、その自位置情報を撮影支援装置１に対して送信する（Ｓ１０３）。
【００４６】
撮影支援装置１は、携帯電話機２から送信された自位置情報を受信した場合（Ｓ２０４）、その自位置情報に基づいて、撮影者の現在位置を特定する（Ｓ２０５）。次に、撮影支援装置１は、地域定義ファイルを参照してステップＳ２０５で特定した撮影者の現在位置が属する地域を特定し、その地域を示す地域ＩＤが地域フィールド３０１に格納されている生息生物情報を生息生物情報ＤＢ１３Ｃから抽出する（Ｓ２０６）。
【００４７】
次に、撮影支援装置１は、ステップＳ２０６で抽出された生息生物情報の生物分類フィールド３０３に格納されている生物の分類を特定した後、その分類が生物分類フィールド２０６に、上記の地域ＩＤが地域フィールド２０８にそれぞれ格納されており、且つ種別フィールド２０５に“１”が格納されている専門家情報が専門家情報ＤＢ１３Ｂに蓄積されているか否かを判定することにより、精通専門家の登録の有無を判定する（Ｓ２０７）。
【００４８】
ステップＳ２０７にて精通専門家が登録されていないと判定した場合（Ｓ２０７でＮＯ）、撮影支援装置１は、上述したようにして特定した生物の種類の名称が種類フィールド２０７に格納されており、且つ種別フィールド２０５に“２”が格納されている専門家情報が専門家情報ＤＢ１３Ｂに蓄積されているか否かを判定することにより、生物専門家の登録の有無を判定する（Ｓ２０８）。
【００４９】
ステップＳ２０８にて生物専門家が登録されていないと判定した場合（Ｓ２０８でＮＯ）、撮影支援装置１は、上記の地域ＩＤが地域フィールド２０８に格納されており、且つ種別フィールド２０５に“３”が格納されている専門家情報が専門家情報ＤＢ１３Ｂに蓄積されているか否かを判定することにより、地域専門家の登録の有無を判定する（Ｓ２０９）。
【００５０】
ステップＳ２０９にて地域専門家が登録されていないと判定した場合（Ｓ２０９でＮＯ）、撮影支援装置１は、撮影者が現在いる地域及びその地域に生息している生物に関する専門家の登録がなされていないことを示す専門家未登録情報を携帯電話機２に対して送信する（Ｓ２１０）。
【００５１】
携帯電話機２が、撮影支援装置１から送信された専門家未登録情報を受信した場合（Ｓ１０４）、専門家が登録されていない旨のメッセージをディスプレイ上に表示し、連絡先提供処理が終了する。
【００５２】
他方、ステップＳ２０７において精通専門家が登録されていると判定した場合（Ｓ２０７でＹＥＳ）、撮影支援装置１は、その精通専門家に係る専門家情報の氏名フィールド２０２、メールアドレスフィールド２０３及び電話番号フィールド２０４に格納されている各情報を用いて、精通専門家の連絡先を通知するための精通専門家連絡先情報を生成する（Ｓ２１１）。
【００５３】
また、ステップＳ２０８において生物専門家が登録されていると判定した場合（Ｓ２０８でＹＥＳ）、撮影支援装置１は、その生物専門家に係る専門家情報の氏名フィールド２０２、メールアドレスフィールド２０３及び電話番号フィールド２０４に格納されている各情報を用いて、生物専門家の連絡先を通知するための生物専門家連絡先情報を生成する（Ｓ２１２）。
【００５４】
さらに、ステップＳ２０９において地域専門家が登録されていると判定した場合（Ｓ２０９でＹＥＳ）、撮影支援装置１は、その地域専門家に係る専門家情報の氏名フィールド２０２、メールアドレスフィールド２０３及び電話番号フィールド２０４に格納されている各情報を用いて、地域専門家の連絡先を通知するための地域専門家連絡先情報を生成する（Ｓ２１３）。
【００５５】
撮影支援装置１は、ステップＳ２１１にて精通専門家連絡先情報を生成した場合、ステップＳ２１２で生物専門家連絡先情報を生成した場合、又はステップＳ２１３で地域専門家連絡先情報を生成した場合、生成した各専門家連絡先情報に基づいて、専門家の連絡先を撮影者に知らせるための専門家連絡先画面を含む専門家連絡先画面情報を生成し（Ｓ２１４）、その生成した専門家連絡先画面情報を携帯電話機２に対して送信する（Ｓ２１５）。なお、この送信は、ＨＴＴＰ（Hypertext Transfer Protocol）により行われてもよく、ＳＭＴＰ（Simple Mail Transfer Protocol）等の他の通信プロトコルにより行われてもよい。
【００５６】
携帯電話機２は、撮影支援装置１から送信された専門家連絡先画面情報を受信した場合（Ｓ１０５）、その受信した専門家連絡先画面情報で示される専門家連絡先画面をディスプレイ上に表示する（Ｓ１０６）。
【００５７】
以下、専門家連絡先画面の例について、精通専門家、生物専門家及び地域専門家別に説明する。
図７Ａは、携帯電話機２のディスプレイ上に表示される、精通専門家の連絡先を示す専門家連絡先画面の一例を示す図である。図７Ａに示すように、専門家連絡先画面Ｓ１には、撮影者の現在位置が属する地域に詳しく、且つ当該地域に生息している動物に詳しい専門家の氏名、電子メールアドレス及び電話番号が示されている。撮影者は、この専門家連絡先画面Ｓ１を参照することにより、自分が現在いる地域に係る精通専門家の連絡先を知ることができる。撮影者は、この情報を用いて精通専門家と電子メール又は電話で連絡をとり、当該精通専門家からその地域の特徴、当該地域に生息している生物に関する情報、並びにその生物を撮影する場合に撮影すべき内容及びその撮影方法・撮影方位・撮影角度（俯角・仰角）等のアドバイスを取得し、そのアドバイスに基づいて撮影を行う。これにより、専門家からのアドバイスに基づいて撮影者が生物の撮影を行うことになるため、資料価値の高い有用な画像情報等を得ることが可能になる。
【００５８】
図７Ｂは、携帯電話機２のディスプレイ上に表示される、生物専門家の連絡先を示す専門家連絡先画面の一例を示す図である。図７Ｂに示すように、専門家連絡先画面Ｓ２には、撮影者の現在位置に生息している植物に詳しい専門家の氏名、電子メールアドレス及び電話番号が示されている。撮影者は、この専門家連絡先画面Ｓ２を参照することにより、自分が現在いる地域に係る生物専門家の連絡先を知ることができる。上述した場合と同様に、撮影者は、この情報を用いて生物専門家と電子メール又は電話で連絡をとり、当該生物専門家からアドバイスを取得し、そのアドバイスに基づいて撮影を行う。これにより、資料価値の高い有用な画像情報等を得ることが可能になる。
【００５９】
図７Ｃは、携帯電話機２のディスプレイ上に表示される、地域専門家の連絡先を示す専門家連絡先画面の一例を示す図である。図７Ｂに示すように、専門家連絡先画面Ｓ３には、撮影者の現在位置に詳しい専門家の氏名、電子メールアドレス及び電話番号が示されている。撮影者は、この専門家連絡先画面Ｓ３を参照することにより、自分が現在いる地域に係る専門家の連絡先を知ることができる。上述した場合と同様に、撮影者は、この情報を用いて地域専門家と電子メール又は電話で連絡をとり、当該地域専門家からアドバイスを取得し、そのアドバイスに基づいて撮影を行う。これにより、資料価値の高い有用な画像情報等を得ることが可能になる。
【００６０】
なお、上記のステップＳ２０７及びＳ２０８では、ステップＳ２０６で抽出された生息生物情報の生物分類フィールド３０３に格納されている生物の分類を特定した後、その分類が生物分類フィールド２０６に格納されている専門家情報の有無を判定しているが、この処理に代わり、またはこの処理とともに、ステップＳ２０６で抽出された生息生物情報の種類フィールド３０４に格納されている生物の種類を特定し、その種類が種類フィールド２０７に格納されている専門家情報の有無を判定するようにしてもよい。この場合、生物の分類（動物・植物・昆虫）ではなく、生物の種類（例えば、カエル等）を基準にして専門家が特定されることになる。
【００６１】
また、上記の連絡先提供処理では、精通専門家、生物専門家及び地域専門家の何れかの専門家の連絡先を撮影者に提供しているが、精通専門家及び生物専門家等、異なる種別の複数の専門家の連絡先を撮影者に提供するようにしてもよい。この場合、アドバイスの取得元としては、生物及び地域の両方に詳しい精通専門家がもっとも適していると考えられるため、精通専門家の連絡先が先に表示され、他の種別の専門家の連絡先が後に表示される等の態様で撮影者に対して専門家の連絡先が提供されることが好ましい。
【００６２】
上述した連絡先提供処理においては、撮影者の現在位置に係る専門家の連絡先を当該撮影者に対して提供しているが、撮影者がこれから向かう位置、すなわち撮影者の将来位置に係る専門家の連絡先を提供するようにしてもよい。以下、そのための連絡先提供処理の詳細について説明する。
【００６３】
図８は、本発明の実施の形態１に係る撮影支援システムが備える撮影支援装置１及び携帯電話機２が実行する連絡先提供処理の手順の他の例を示すフローチャートである。なお、この連絡先提供処理は、撮影支援装置１が、撮影者が携行する携帯電話機２の自位置情報を当該携帯電話機２から所定の時間間隔で繰り返し受信した後に実行されるものとする。
【００６４】
撮影支援装置１は、携帯電話機２から経時的に受信した複数の自位置情報を用いて、その携帯電話機２の移動方向、すなわち撮影者の移動方向を予測する（Ｓ３０１）。次に、撮影支援装置１は、その予測した移動方向と、撮影者の最新の位置とに基づいて、所定時間経過後の撮影者の将来位置を予測する（Ｓ３０２）。なお、このように、本実施の形態では撮影者の移動履歴に基づいて当該撮影者の将来位置を予測しているが、それ以外の方法により将来位置の予測を行ってもよい。例えば、撮影者の現在位置及びその現在位置における地形等に基づいて当該撮影者の将来位置を予測したり、各撮影者の過去の移動履歴に基づいて当該将来位置を予測したりしてもよい。
【００６５】
ステップＳ３０２以降、撮影支援装置１は、上述したステップＳ２０６乃至Ｓ２１５を実行し、携帯電話機２はステップＳ１０４乃至Ｓ１０６を実行する。これにより、撮影者は、自らがこれから向かう方面に詳しい専門家及びそこに生息している生物に詳しい専門家等から生物の撮影についてのアドバイスを得ることが可能になる。
【００６６】
図９Ａは、携帯電話機２のディスプレイ上に表示される、精通専門家の連絡先を示す専門家連絡先画面の一例を示す図である。図９Ａに示すように、専門家連絡先画面Ｓ４には、撮影者の将来位置が属する地域に詳しく、且つ当該地域に生息している動物に詳しい専門家の氏名、電子メールアドレス及び電話番号が示されている。撮影者は、この専門家連絡先画面Ｓ１を参照することにより、自分がこれから向かう方面に係る精通専門家の連絡先を知ることができる。撮影者は、この情報を用いて精通専門家と電子メール又は電話で連絡をとり、当該生物専門家からアドバイスを取得し、そのアドバイスに基づいて撮影を行う。これにより、資料価値の高い有用な画像情報等を得ることが可能になる。
【００６７】
図９Ｂは、携帯電話機２のディスプレイ上に表示される、生物専門家の連絡先を示す専門家連絡先画面の一例を示す図である。図９Ｂに示すように、専門家連絡先画面Ｓ５には、撮影者の将来位置に生息している植物に詳しい専門家の氏名、電子メールアドレス及び電話番号が示されている。撮影者は、この専門家連絡先画面Ｓ５を参照することにより、自分がこれから向かう方面に係る生物専門家の連絡先を知ることができる。上述した場合と同様に、撮影者は、この情報を用いて生物専門家と電子メール又は電話で連絡をとり、当該生物専門家からアドバイスを取得し、そのアドバイスに基づいて撮影を行う。これにより、資料価値の高い有用な画像情報等を得ることが可能になる。
【００６８】
図９Ｃは、携帯電話機２のディスプレイ上に表示される、地域専門家の連絡先を示す専門家連絡先画面の一例を示す図である。図９Ｃに示すように、専門家連絡先画面Ｓ６には、撮影者の現在位置に詳しい専門家の氏名、電子メールアドレス及び電話番号が示されている。撮影者は、この専門家連絡先画面Ｓ６を参照することにより、自分がこれから向かう方面に係る専門家の連絡先を知ることができる。上述した場合と同様に、撮影者は、この情報を用いて地域専門家と電子メール又は電話で連絡をとり、当該地域専門家からアドバイスを取得し、そのアドバイスに基づいて撮影を行う。これにより、資料価値の高い有用な画像情報等を得ることが可能になる。
【００６９】
（２）撮像画像投稿処理
撮影者は、上述したようにして撮影支援装置１から提供された専門家の連絡先に連絡し、当該専門家からアドバイスを得る。そして、そのアドバイスにしたがって、携帯電話機２が備えるカメラにより生物の撮影を行う。
【００７０】
図１０は、本発明の実施の形態に係る撮影支援システムが備える撮影支援装置１及び携帯電話機２が実行する撮像画像投稿処理の手順を示すフローチャートである。図１０に示すとおり、携帯電話機２は、撮影者の操作により生物を撮影対象とした撮像画像を取得した場合（Ｓ４０１）、その撮像画像及び撮影した日時等を含む撮像画像情報を、撮影支援装置１に対して送信する（Ｓ４０２）。
【００７１】
撮影支援装置１は、携帯電話機２から送信された撮像画像情報を受信した場合（Ｓ５０１）、その撮像画像情報に含まれている撮像画像を投稿画像情報ＤＢ１３Ｄに登録する（Ｓ５０２）。
【００７２】
この撮像画像投稿処理により、撮影支援装置１には、各撮影者から投稿された撮像画像が蓄積されることになる。これらの撮像画像は、撮影者が各専門家からアドバイスを受け、そのアドバイスに基づいて取得されたものであるため、例えば生物多様性等の様々な研究において有用なものが含まれている場合がある。このように、本実施の形態によれば、各撮影者から利用価値の高い資料を取得することが可能になる。
【００７３】
（実施の形態２）
実施の形態２は、撮影者から提供される撮像画像に基づいて専門家を特定し、その専門家の連絡先を撮影者に提供する。本実施の形態においても、実施の形態１の場合と同様に、撮影支援装置と携帯電話機とが協働して処理を行うことにより撮影者に対する撮影支援が行われる。
【００７４】
［撮影支援装置の構成］
図１１は、本発明の実施の形態２に係る撮影支援装置の構成を示すブロック図である。図１１に示すように、本実施の形態の撮影支援装置１００が備えるハードディスク１３には、実施の形態１における生息生物情報ＤＢ１３Ｃの代わりに、照合画像情報データベース（ＤＢ）１３Ｅが設けられている。この照合画像情報ＤＢ１３Ｅには、各生物の撮像画像が格納されている。これらの撮像画像は、後述するようにして撮影者が取得した撮像画像の照合処理を行う場合に用いられる。なお、撮影支援装置１００のその他の構成については、実施の形態１の撮影支援装置１の場合と同様であるため、同一符号を付して説明を省略する。
【００７５】
［撮影支援システムの動作］
図１２は、本発明の実施の形態２に係る撮影支援システムが備える撮影支援装置１００及び携帯電話機２が実行する連絡先提供処理の手順の一例を示すフローチャートである。以下では、実施の形態１の場合と同様に、携帯電話機２がＧＰＳ（Global Positioning System）機能を有しているものとする。
【００７６】
撮影者は、登山中及び散歩中等、様々な場面において、携行している携帯電話機２のカメラを用いて生物を被写体として撮影を行う。これにより、携帯電話機２は、図１２に示すように、生物を含む撮像画像を取得する（Ｓ６０１）。次に、撮影者は、その撮像画像を撮影支援装置１００に対して送信するよう、携帯電話機２に指示する。この指示を撮影者から受け付けた場合、携帯電話機２は、ステップＳ６０１にて取得した撮像画像及び撮影日時等を含む撮像画像情報と、ＧＰＳ機能を用いて取得した携帯電話機２の自位置を示す位置情報（緯度、経度及び高度を含む情報）とを、撮影支援装置１００に対して送信する（Ｓ６０２）。
【００７７】
撮影支援装置１００は、携帯電話機２から送信された撮像画像情報及び位置情報を受信した場合（Ｓ７０１）、撮像画像情報の撮像画像に対してエッジ抽出等の画像解析処理を施すことにより、当該撮像画像に含まれる撮影対象の特徴を抽出する（Ｓ７０２）。次に、撮影支援装置１００は、抽出した特徴に基づいて、撮影対象の生物の種類を特定する（Ｓ７０３）。この特定は、照合画像情報ＤＢ１３Ｅに格納されている画像情報の特徴とステップＳ７０２で抽出した特徴との照合を行ってそれらの類似度を算出し、その類似度に応じて生物の種類を特定すること等により行われる。
【００７８】
なお、画像解析により生物の種類を特定することができなかった場合、撮影支援装置１００は、そのことを示すメッセージを含む情報を携帯電話機２に対して送信し、これを受けた携帯電話機２がそのメッセージをディスプレイ上に表示して、連絡先提供処理が終了する。
【００７９】
次に、撮影支援装置１００は、ステップＳ７０１にて受信した自位置情報に基づいて、撮影者の現在位置を特定する（Ｓ７０５）。次に、撮影支援装置１００は、地域定義ファイルを参照してステップＳ７０５で特定した撮影者の現在位置が属する地域を特定し（Ｓ７０６）、その地域を示す地域ＩＤが地域フィールド２０８に、ステップＳ７０３で特定した生物の種類が種類フィールド２０７にそれぞれ格納されており、且つ種別フィールド２０５に“１”が格納されている専門家情報が専門家情報ＤＢ１３Ｂに蓄積されているか否かを判定することにより、精通専門家の登録の有無を判定する（Ｓ７０７）。
【００８０】
ステップＳ７０７にて精通専門家が登録されていないと判定した場合（Ｓ７０７でＮＯ）、撮影支援装置１００は、ステップＳ７０３で特定した生物の種類の名称が種類フィールド２０７に格納されており、且つ種別フィールド２０５に“２”が格納されている専門家情報が専門家情報ＤＢ１３Ｂに蓄積されているか否かを判定することにより、生物専門家の登録の有無を判定する（Ｓ７０８）。
【００８１】
ステップＳ７０８にて生物専門家が登録されていないと判定した場合（Ｓ７０８でＮＯ）、撮影支援装置１は、上記の地域ＩＤが地域フィールド２０８に格納されており、且つ種別フィールド２０５に“３”が格納されている専門家情報が専門家情報ＤＢ１３Ｂに蓄積されているか否かを判定することにより、地域専門家の登録の有無を判定する（Ｓ７０９）。
【００８２】
ステップＳ７０９にて地域専門家が登録されていないと判定した場合（Ｓ７０９でＮＯ）、撮影支援装置１は、撮影者が現在いる地域及びその地域に生息している生物に関する専門家の登録がなされていないことを示す専門家未登録情報を携帯電話機２に対して送信する（Ｓ７１０）。
【００８３】
携帯電話機２が、撮影支援装置１から送信された専門家未登録情報を受信した場合（Ｓ６０３）、専門家が登録されていない旨のメッセージをディスプレイ上に表示し、連絡先提供処理が終了する。
【００８４】
他方、ステップＳ７０７において精通専門家が登録されていると判定した場合（Ｓ７０７でＹＥＳ）、撮影支援装置１００は、実施の形態１の場合と同様にして、精通専門家連絡先情報を生成する（Ｓ７１１）。また、実施の形態１の場合と同様、撮影支援装置１００は、ステップＳ７０８において生物専門家が登録されていると判定した場合（Ｓ７０８でＹＥＳ）は生物専門家情報を生成し（Ｓ７１２）、ステップＳ７０９において地域専門家が登録されていると判定した場合（Ｓ７０９でＹＥＳ）は地域専門家連絡先情報を生成する（Ｓ７１３）。さらに、実施の形態１の場合と同様に、生成した各専門家連絡先情報に基づいて、専門家の連絡先を撮影者に知らせるための専門家連絡先画面を含む専門家連絡先画面情報を生成し（Ｓ７１４）、その生成した専門家連絡先画面情報を携帯電話機２に対して送信する（Ｓ７１５）。
【００８５】
携帯電話機２は、撮影支援装置１から送信された専門家連絡先画面情報を受信した場合（Ｓ６０４）、その受信した専門家連絡先画面情報で示される専門家連絡先画面をディスプレイ上に表示する（Ｓ６０５）。
【００８６】
以下、精通専門家及び生物専門家に係る専門家連絡先画面の例について説明する。なお、地域専門家に係る専門家連絡先画面については実施の形態１の場合と同様であるので、説明を省略する。
図１３Ａは、携帯電話機２のディスプレイ上に表示される、精通専門家の連絡先を示す専門家連絡先画面の他の例を示す図である。図１３Ａに示すように、専門家連絡先画面Ｓ７には、撮影者の現在位置が属する地域に詳しく、且つ当該撮影者が撮影対象とした生物に詳しい専門家の氏名、電子メールアドレス及び電話番号が示されている。撮影者は、この情報を用いて精通専門家と電子メール又は電話で連絡をとり、当該精通専門家からその地域の特徴、当該生物に関する情報、並びにその生物を撮影する場合に撮影すべき内容及びその撮影方法・撮影方位・撮影角度（俯角・仰角）等のアドバイスを取得し、そのアドバイスに基づいて再度撮影を行う。これにより、専門家からのアドバイスに基づいて撮影者が生物の撮影を行うことになるため、資料価値の高い有用な画像情報等を得ることが可能になる。
【００８７】
図１３Ｂは、携帯電話機２のディスプレイ上に表示される、生物専門家の連絡先を示す専門家連絡先画面の他の例を示す図である。図７Ｂに示すように、専門家連絡先画面Ｓ２には、撮影者が撮影対象とした生物に詳しい専門家の氏名、電子メールアドレス及び電話番号が示されている。撮影者は、ここの情報を用いて生物専門家と電子メール又は電話で連絡をとり、当該生物専門家からアドバイスを取得し、そのアドバイスに基づいて撮影を行う。これにより、資料価値の高い有用な画像情報等を得ることが可能になる。
【００８８】
（その他の実施の形態）
精通専門家は地域及びその地域に生息する生物の両者について詳しいため、生物専門家及び地域専門家と比べて、アドバイスの取得先として適しているといえる。しかしながら、これらの生物専門家及び地域専門家の双方からアドバイスを受けることができれば、精通専門家からアドバイスを受けるのと同様の内容の情報を得ることも可能だと考えられる。そのため、例えば、上記の各実施の形態において、撮影支援装置が、生物専門家及び地域専門家を抽出した場合、質の高いアドバイスを行うべく、これらの生物専門家及び地域専門家に対して互いに連絡を取り合うように指示するともに、撮影者に対しては、これらの生物専門家及び地域専門家の少なくとも何れか一方と連絡をとるように指示するようにしてもよい。
【００８９】
また、上記の各実施の形態では、撮影支援装置が、撮影者に対して専門家と連絡をとるよう指示しているが、これとは反対に、専門家に対して撮影者と連絡をとるよう指示するようにしてもよい。この場合、撮影支援装置が、撮影者情報に含まれる撮影者の電子メールアドレス及び電話番号を各専門家に提供し、それらの情報を用いて各専門家が撮影者と連絡をとるようにすればよい。
【００９０】
また、上記の各実施の形態では、撮影支援装置１，１００と携帯電話機２とが別装置となっているが、上述した撮影支援装置１の構成を携帯電話機２が備えることにより、携帯電話機２単体で撮影者の撮影支援を行うことができるようにしてもよい。
【００９１】
また、上記の各実施の形態において、撮影者の携帯電話機２に対して専門家連絡先画面情報を送信する前に、撮影支援装置１，１００が、特定された専門家の専門家端末装置３に対して電子メール等を送信することによって撮影者からの連絡を受け入れる準備があるかどうかを確認し、受け入れる準備がある専門家についての専門家連絡先画面情報のみを、携帯電話機２に対して送信するようにしてもよい。
【産業上の利用可能性】
【００９２】
本発明の撮影支援装置及び撮影支援方法は、様々な生物を撮影対象とする場合において撮影支援を行う撮影支援装置及び撮影支援方法等として有用である。
【符号の説明】
【００９３】
１，１００  撮影支援装置
１０  ＣＰＵ
１１  ＲＯＭ
１２  ＲＡＭ
１３  ハードディスク
１３Ａ  撮影者情報データベース
１３Ｂ  専門家情報データベース
１３Ｃ  生息生物情報データベース
１３Ｄ  投稿画像情報データベース
１３Ｅ  照合画像情報データベース
１４  通信インタフェース
１５  バス
２  携帯電話機
３  専門家端末装置
１３  ハードディスク
Ｓ１〜Ｓ８  専門家連絡先画面
【図１】
0005735323.tif 000002
【図２】
0005735323.tif 000003
【図３】
0005735323.tif 000004
【図４】
0005735323.tif 000005
【図５】
0005735323.tif 000006
【図６】
0005735323.tif 000007
【図７Ａ】
0005735323.tif 000008
【図７Ｂ】
0005735323.tif 000009
【図７Ｃ】
0005735323.tif 000010
【図８】
0005735323.tif 000011
【図９Ａ】
0005735323.tif 000012
【図９Ｂ】
0005735323.tif 000013
【図９Ｃ】
0005735323.tif 000014
【図１０】
0005735323.tif 000015
【図１１】
0005735323.tif 000016
【図１２】
0005735323.tif 000017
【図１３Ａ】
0005735323.tif 000018
【図１３Ｂ】
0005735323.tif 000019